(57)【要約】【課題】採点を効率的にするユーザインタフェースを提供する。【解決手段】サーバから取得された音声データであり、スピーキング問題の解答を表す該音声データの採点画面を表示するディスプレイと、音声データのうち、少なくとも無音区間を識別可能にして音声データを表示する表示領域を採点画面内に表示制御する画面制御手段と、無音区間とは異なる有音区間の音声データを再生し、採点者からの入力に基づき採点処理を制御する採点制御手段と、を有する。【選択図】図９
2015025873.tif 000002
【特許請求の範囲】
【請求項１】
サーバから取得された音声データであり、スピーキング問題の解答を表す該音声データの採点画面を表示するディスプレイと、
前記音声データのうち、少なくとも無音区間を識別可能にして該音声データを表示する表示領域を前記採点画面内に表示制御する画面制御手段と、
前記無音区間とは異なる有音区間の音声データを再生し、採点者からの入力に基づき採点処理を制御する採点制御手段と、
を有する情報処理装置。
【請求項２】
前記採点制御手段は、
前記音声データの再生中に、前記無音区間をスキップする、
請求項１記載の情報処理装置。
【請求項３】
前記採点制御手段は、
前記音声データを識別する識別情報が付与された該音声データを取得し、前記採点者からの指示により前記音声データを再生し、前記採点者からの入力に基づく採点結果と前記識別情報とを、前記サーバに記憶するように制御する、
請求項１又は２記載の情報処理装置。
【請求項４】
前記画面制御手段は、
複数の音声データが前記表示領域に表示される場合、音声データ毎に、少なくとも前記無音区間を識別可能にする、
請求項１乃至３いずれか一項に記載の情報処理装置。
【請求項５】
前記画面制御手段は、
前記表示領域とともに再生スライダーを表示するように制御し、前記音声データの再生中に、前記再生スライダーの再生位置が前記無音区間をスキップするように制御する、
請求項１乃至４いずれか一項に記載の情報処理装置。
【請求項６】
前記採点制御手段は、
前記音声データが全て前記無音区間である場合、前記音声データに対して最低のスコアを付ける、
請求項１乃至５いずれか一項に記載の情報処理装置。
【請求項７】
サーバから取得された音声データであり、スピーキング問題の解答を表す該音声データの採点画面を表示する表示ステップと、
前記音声データのうち、少なくとも無音区間を識別可能にして該音声データを表示する表示領域を前記採点画面内に表示制御する画面制御ステップと、
前記無音区間とは異なる有音区間の音声データを再生し、採点者からの入力に基づき採点処理を制御する採点制御ステップと、
を有する情報処理方法。
【請求項８】
コンピュータに、
サーバから取得された音声データであり、スピーキング問題の解答を表す該音声データの採点画面を表示する表示ステップと、
前記音声データのうち、少なくとも無音区間を識別可能にして該音声データを表示する表示領域を前記採点画面内に表示制御する画面制御ステップと、
前記無音区間とは異なる有音区間の音声データを再生し、採点者からの入力に基づき採点処理を制御する採点制御ステップと、
を実行させるプログラム。
【発明の詳細な説明】
【技術分野】
【０００１】
本発明は、情報処理装置、情報処理方法及びプログラムに関する。
【背景技術】
【０００２】
従来、外部検定試験などでは、試験機関が認定した場所に受検者が行き、その場所で受検者が試験（テスト）を受けていた。例えば、ＥＴＳ（Educational Testing Service）が実施するＴＯＥＦＬ（Test Of English as Foreign Language）（登録商標。非特許文献１参照）では、受検者は、自身が選択した試験センターに行き、その試験センターで試験を受けていた。また、受検者は、スピーキングテストの際、画面の問題を見て、解答となる音声をマイクに向かって発声する。また、採点者は、録音された音声データを再生することで採点処理を行う。
【先行技術文献】
【非特許文献】
【０００３】
【非特許文献１】ＴＯＥＦＬ  Ｈｏｍｅ、[On Line]、[平成２５年７月２４日検索]、インターネット＜URL：http://www.ets.org/jp/toefl＞
【発明の概要】
【発明が解決しようとする課題】
【０００４】
一般的に、テストの採点者は、ＰＣ（Personal Computer）を起動し、表示された採点画面に従って採点処理を行う。ここで、テストにスピーキングテストが含まれる場合、解答時間の間、話し続ける人もいれば、話すことができず黙ってしまう人もいる。このように様々な解答者がいるが、スピーキングテストの採点処理は、解答内容に関係なく、音声を始めから終わりまで再生して採点が行われているのが実情である。よって、スピーキングの採点を少しでも効率的にするユーザインタフェースが、採点者の間で望まれている。
【０００５】
そこで、本発明は、上述したニーズに応えるため、採点を効率的にするユーザインタフェースを提供することを目的とする。
【課題を解決するための手段】
【０００６】
本発明の一態様における情報処理装置は、サーバから取得された音声データであり、スピーキング問題の解答を表す該音声データの採点画面を表示するディスプレイと、前記音声データのうち、少なくとも無音区間を識別可能にして該音声データを表示する表示領域を前記採点画面内に表示制御する画面制御手段と、前記無音区間とは異なる有音区間の音声データを再生し、採点者からの入力に基づき採点処理を制御する採点制御手段と、を有する。これにより、採点を効率的にするユーザインタフェースを提供することができる。
【０００７】
前記採点制御手段は、前記音声データの再生中に、前記無音区間をスキップしてもよい。これにより、採点に寄与しない区間をスキップすることで、採点処理をさらに効率化することができる。
【０００８】
前記採点制御手段は、前記音声データを識別する識別情報が付与された該音声データを取得し、前記採点者からの指示により前記音声データを再生し、前記採点者からの入力に基づく採点結果と前記識別情報とを、前記サーバに記憶するように制御してもよい。これにより、採点制御手段は、最低限のデータを処理することで採点処理を制御することができる。
【０００９】
前記採点手段は、複数の音声データが前記表示領域に表示される場合、音声データ毎に、少なくとも前記無音区間を識別可能にしてもよい。これにより、複数の音声データを表示する場合でも、採点者は、どの部分を採点すればよいかを理解することができる。
【００１０】
前記採点手段は、前記表示領域とともに再生スライダーを表示するように制御し、前記音声データの再生中に、前記再生スライダーの再生位置が前記無音区間をスキップするように制御してもよい。これにより、採点に寄与しない無音区間をスキップすることを可視化することができ、ユーザにスキップを把握させることができる。
【００１１】
前記採点手段は、前記音声データが全て前記無音区間である場合、前記音声データに対して最低のスコアを付けてもよい。これにより、採点の必要がない場合には、採点者の処理を省くことができる。
【００１２】
また、本発明の他の態様における情報処理方法は、サーバから取得された音声データであり、スピーキング問題の解答を表す該音声データの採点画面を表示する表示ステップと、前記音声データのうち、少なくとも無音区間を識別可能にして該音声データを表示する表示領域を前記採点画面内に表示制御する画面制御ステップと、前記無音区間とは異なる有音区間の音声データを再生し、採点者からの入力に基づき採点処理を制御する採点制御ステップと、を有する。上述と同様に、採点を効率的にするユーザインタフェースを提供することを目的とする。
【００１３】
また、本発明の他の態様におけるプログラムは、コンピュータに、サーバから取得された音声データであり、スピーキング問題の解答を表す該音声データの採点画面を表示する表示ステップと、前記音声データのうち、少なくとも無音区間を識別可能にして該音声データを表示する表示領域を前記採点画面内に表示制御する画面制御ステップと、前記無音区間とは異なる有音区間の音声データを再生し、採点者からの入力に基づき採点処理を制御する採点制御ステップと、を実行させる。上述と同様に、採点を容易にするユーザインタフェースを提供することを目的とする。
【発明の効果】
【００１４】
本発明によれば、採点を容易にするユーザインタフェースを提供することができる。
【図面の簡単な説明】
【００１５】
【図１】第１実施形態におけるテスト支援システムの一例を示す概念図である。
【図２】第１実施形態におけるテスト支援システムの構成の一例を示すブロック図である。
【図３】タブレット端末のハードウェア構成の一例を示すブロック図である。
【図４】サーバのハードウェア構成の一例を示すブロック図である。
【図５】情報処理装置のハードウェア構成の一例を示すブロック図である。
【図６】タブレット端末の機能構成の一例を示すブロック図である。
【図７】サーバの機能構成の一例を示すブロック図である。
【図８】情報処理装置の機能構成の一例を示すブロック図である。
【図９】採点手段の機能構成の一例を示すブロック図である。
【図１０】タブレット端末で記憶される識別情報及び解答データの一例を示す図である。
【図１１】サーバで記憶される識別情報及び解答データの一例を示す図である。
【図１２】タブレット端末の電源起動時の画面の一例を示す図である。
【図１３】学校コードの選択画面の一例を示す図である。
【図１４】スピーキングテストの開始画面の一例を示す図である。
【図１５】テストにおけるＰａｒｔＡの画面の一例を示す図である。
【図１６】採点画面（その１）の一例を示す図である。
【図１７】採点画面（その２）の一例を示す図である。
【図１８】採点画面（その３）の一例を示す図である。
【図１９】採点画面（その４）の一例を示す図である。
【図２０】採点画面（その５）の一例を示す図である。
【図２１】採点画面（その６）の一例を示す図である。
【図２２】第１実施形態におけるテスト支援システムの処理の一例を示すフローチャートである。
【図２３】音声データの採点処理の一例を示すフローチャートである。
【発明を実施するための形態】
【００１６】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１７】
［第１実施形態］
以下、本発明の第１実施形態における携帯型情報処理装置、情報処理方法及びプログラムを、図面を用いて説明する。なお、以下に説明するテストとしては、複数の受検者が同じ時刻に同じ拠点で受験するテストを例とし、例えば、スピーキングを含む英語検定試験などを想定する。また、携帯型情報処理装置は、例えばタブレット端末、携帯端末、又は携帯型のPC（Personal Computer）などであり、携帯型情報処理端末とも称す。
【００１８】
＜テスト支援システムの概要＞
図１は、第１実施形態におけるテスト支援システム１の一例を示す概念図である。図１に示すように、例えばテスト支援システム１では、学校１０に配布された携帯型情報処理端末１００を用いてテストが実施され、解答データが記憶された携帯型情報処理端末１００を企業２０が回収する。
【００１９】
また、テスト支援システム１では、回収された携帯型情報処理端末１００に記憶されたテストの解答データが、採点システム３０のサーバ２００に送信される。また、採点者４０は、採点システム３０のサーバ２００に記憶された解答データにアクセスし、ブラウザを用いて採点画面を情報処理装置３００に表示させる。採点者４０は、採点画面を用いて採点した採点データを採点システム３０のサーバ２００にアップロードする。これにより、採点システム３０のサーバ２００は、採点データを取得する。
【００２０】
なお、携帯型情報処理端末１００は、携帯型情報処理端末を１つずつ区別する場合には符号１００Ａ、１００Ｂなどを用い、携帯型情報処理端末をまとめて表現する場合には符号１００を用いる。また、採点者４０が用いる情報処理装置も、携帯型情報処理端末と同様の符号の用い方をする。
【００２１】
次に、テスト支援システム１の具体的な流れを説明する。以下、携帯型情報処理端末１００として、タブレット端末を例にして説明する。
【００２２】
（１）タブレット端末１００の発送
企業２０は、テストを実施する学校１０に対し、必要な台数のタブレット端末１００を発送する。例えば、企業２０は、タブレット端末１００を学校１０に貸与する。このとき、企業２０は、タブレット端末１００とともに、タブレット端末１００の利用マニュアルを学校１０に発送してもよい。
【００２３】
（２）テストの実施
受検者は、企業２０から発送されたタブレット端末１００を用いて、学校１０内又は任意の場所でスピーキングを含む英語検定試験（以下、単にテストともいう）を受検する。このとき、受検者は、タブレット端末１００に自身の識別情報を入力する。受検者の識別情報は、例えば学校コード、日時、学年、クラス、出席番号、カナ氏名、生年月日とする。なお、識別情報として受検者に一意に割り当てられた番号などがあれば、識別情報はその番号などでもよい。
【００２４】
また、受検者は、タブレット端末１００を用いてテストの解答を入力する。例えば、受検者は、タブレット端末１００に表示される問題に対し、タブレット端末１００に向かって音声を発して解答することで、タブレット端末１００に解答データ（例えば解答音声）が入力される。タブレット端末１００は、この解答データと、受検者の識別情報とを関連付けて記憶する。
【００２５】
なお、このタブレット端末１００は、使い回すことができ、例えば１時間目は、クラス１でテストを実施し、２時間目は、同じタブレット端末１００を用いてクラス２でテストを実施することができる。
【００２６】
このとき、タブレット端末１００には、複数の受検者の解答データが、各受検者の識別情報に関連付けて記憶される。
【００２７】
（３）タブレット端末の返却（回収）
学校１０でテストの実施が終了した場合、学校１０側は、発送されたタブレット端末１００を企業２０に返却し、企業２０は、発送したタブレット端末１００を回収する。
【００２８】
（４）採点システムに登録
企業２０は、回収したタブレット端末１００を採点システム３０のサーバ２００に登録する。例えば、Ｗｉ-Ｆｉ（登録商標）を用いて、タブレット端末１００に記憶された解答データと、受検者の識別情報とがサーバ２００に送信される。ここで、Ｗｉ−Ｆｉ（登録商標）などの無線回線は、予め登録されたデータ回線（専用のデータ回線）を用いることが好ましい。
【００２９】
このとき、サーバ２００は、学校毎にフォルダを自動生成し、フォルダを階層化して、解答データを記憶するようにする。例えば、サーバ２００は、学校、学年、クラス、生徒の順に下位フォルダを生成し、最下位の生徒フォルダに解答データを保存するようにしてもよい。
【００３０】
（５）採点
採点者４０は、サーバ２００に記憶されている解答データにアクセスし、ブラウザなどを用いて採点画面を情報処理装置３００に表示させる。採点者４０は、採点システム３０上での採点画面から解答データの採点を行う。採点者４０は、例えば海外拠点にいるネイティブの人でもよい。
【００３１】
このとき、採点者４０は、解答データに対して採点データ（スコア）を与える。これにより、採点データは、採点システム３０上にアップロードされ、サーバ２００は、採点データを取得し、記憶する。
【００３２】
（６）スコアレポート作成
企業２０の担当者又は委託者の指示により、採点システム３０又は企業２０内の情報処理装置（不図示）は、採点システム３０上に記憶された採点データをもとに、スコアレポートを作成する。スコアレポートには、受検者の識別情報や受検者の全受検者に対する順位、全受検者の平均点、過去のテストとの比較、今後の勉強方針などが記載される。
【００３３】
（７）スコアレポートの発送
企業４０の担当者又は委託者の指示により、採点システム３０又は企業２０内の情報処理装置は、作成したスコアレポートを学校１０の情報処理装置に送信する。学校１０の情報処理装置は、受信したスコアレポートをディスプレイ上に表示する。例えばこれを先生が検討することで、学校１０としての教育方針や、先生個人の教え方などを考えたり、改めたりすることができる。また、生徒は、スコアデータを見ることで、点数が伸びたりしていれば、モチベーションアップにつなげることができる。なお、スコアレポートは、印刷業者により印刷されたものが学校１０に発送されてもよい。
【００３４】
＜テスト支援システムの構成＞
次に、第１実施形態におけるテスト支援システム１の構成について説明する。図２は、第１実施形態におけるテスト支援システム１の構成の一例を示すブロック図である。図２に示す例では、テスト支援システム１は、タブレット端末１００と、サーバ２００と、情報処理装置３００とを有する。
【００３５】
タブレット端末１００は、テストの受検者に１台ずつ配布される。タブレット端末１００は、テストを実行するアプリケーションが予めインストールされている。受検者は、所定の時間になったり、試験官又は先生の合図があったりした後に、テストのアプリケーションを実行することでテストを受けることができる。なお、受検者は、テストを受ける際、受検者の識別情報を先に入力し、合図を待って一斉にテストをスタートしてもよい。
【００３６】
タブレット端末１００は、受検者によりテストの開始が指示されると、テストの問題を表示したり、又は音声で問題を出力したりする。受検者は、テストの問題に対し、タブレット端末１００の操作画面を用いて解答を入力したり、タブレット端末１００に向かって解答となる音声を発したりする。
【００３７】
また、タブレット端末１００は、受検者から入力された解答を解答データとして、受検者の識別情報とともに自端末の記憶部に記憶する。解答は、例えばスピーキング問題に対する音声であり、解答データは、例えば音声データである。また、テストの問題は、複数あってもよい。この場合、問題ごとに音声データがタブレット端末１００に記憶（録音）される。
【００３８】
サーバ２００は、回収又は返却されたタブレット端末１００から受検者の識別情報及び解答データを受信し、自装置の記憶部に記憶する。例えば、管理者がタブレット端末１００にログインし、データ送信可のスイッチなどをＯＮにすると、無線通信、例えばＷｉ−Ｆｉ（登録商標）などを用いることで、サーバ２００は、受検者の識別情報及び解答データを受信する。また、無線通信は、有線のネットワークなどによる通信や、本システム専用のデータ回線を用いる無線通信などでもよい。
【００３９】
また、サーバ２００は、データを受信すると、自動でフォルダ生成を行い、音声データを効率良く管理する。例えば、サーバ２００は、フォルダの階層構造を用いて、音声データを管理する。フォルダの階層構造は、受検者の識別情報に含まれる複数の情報を用いて生成される。
【００４０】
具体的には、サーバ２００は、受検者の識別情報に含まれる情報の順番に、フォルダを階層化していく。例えば、サーバ２００は、学校フォルダを最上位とし、日時フォルダ、学年フォルダ、クラスフォルダ、生徒フォルダの順にフォルダを階層化し、最下位となる生徒フォルダに解答の音声データを含めるようにする。このとき、音声データが含まれるファイル名がＩＤに変換され、このＩＤが音声データに付与されてもよい。このＩＤは、採点時の音声データの識別情報に用いられてもよい。
【００４１】
次に、情報処理装置３００は、ウェブブラウザを用いてサーバ２００に記憶されている音声データを採点する採点画面を表示し、採点者４０による採点結果の採点データを取得する。情報処理装置３００は、採点者４０により使用される装置である。また、情報処理装置３００は、海外に設置された装置であってもよい。
【００４２】
例えば、採点者４０は、海外にいるネイティブの人であり、複数の採点者４０が自身に割り当てられた音声データの採点を、情報処理装置３００を用いて行う。なお、企業２０側は、採点者４０に対し、採点基準の詳細データを送付しておく。
【００４３】
採点者４０の情報処理装置３００は、採点画面から採点の対象となる１又は複数の音声データを出力し、採点基準の詳細データを参照した採点者４０により採点が行われる。また、同じ音声データに対して、複数の採点者４０が採点を行って、採点者４０の違いによる採点結果のばらつきが小さくなるようにしてもよい。
【００４４】
採点者４０の情報処理装置３００は、採点結果の採点データを、採点者４０の指示によりサーバ２００にアップロードする。これにより、サーバ２００は、採点データを取得する。
【００４５】
次に、企業２０の担当者又は委託者の指示により、担当者又は委託者の情報処理装置（不図示）は、サーバ２００から採点データを取得し、成績処理を行う。成績処理は、例えばＩＲＴ（Item Response Theory：項目応答理論）に基づいて行われてもよい。また、成績処理は、個人集計、校内集計、全国集計などを含む総合的な成績処理が行われる。
【００４６】
企業２０の担当者又は委託者の指示により、担当者又は委託者の情報処理装置は、成績処理が行われた成績に基づくスコアレポートを学校１０に発送する手配をしたり、または電子的なスコアレポートを送信したりする。また、企業２０の担当者又は委託者の指示により、担当者又は委託者の情報処理装置は、このスコアレポートに加えて、クラス全体の成績の分析を行った先生用のレポートを学校１０に発送するよう手配したり、送信したりしてもよい。
【００４７】
＜ハードウェア構成＞
次に、テスト支援システム１における各装置のハードウェア構成について説明する。図３は、タブレット端末１００のハードウェア構成の一例を示すブロック図である。図３に示すタブレット端末１００は、例えば、ＣＰＵ（Central Processing Unit）１０２と、メインメモリ１０４と、ＢＩＯＳ−ＲＯＭ１０６と、記憶部１０８と、オーディオ出力部１１０と、表示部１１２と、通信インタフェース１１４と、入力部１１６と、これらを接続するシステムバス１１８とを有する。
【００４８】
ＣＰＵ１０２は、例えば、メインメモリ１０４上に展開されたテストプログラムを実行し、タブレット端末１００に各種の機能を実現させる。言い換えれば、タブレット端末１００は、ＣＰＵ１０２の制御の下、テストプログラムを実行することによりテストを実現する。ＢＩＯＳ−ＲＯＭ１０６は、タブレット端末１００のハードウェア管理、制御をするプログラムを記憶する。
【００４９】
記憶部１０８は、プログラムや各種データを格納する。オーディオ出力部１１０は、ＣＰＵ１０２の制御の下で処理された各種のサウンドを出力する。表示部１１２は、例えばディスプレイであり、ＣＰＵ１０２の制御の下で処理された各種の画像を表示する。通信インタフェース１１４は、サーバ２００や他の装置との通信を可能にするインタフェースである。入力部１１６は、例えばユーザ操作を入力するタッチパネルや、音声を入力するマイクである。また、入力部１１６は、タブレット端末１００に接続されたキーボードなどからユーザ操作を入力してもよい。
【００５０】
次に、採点システム３０のサーバ２００のハードウェア構成について説明する。図４は、サーバ２００のハードウェア構成の一例を示すブロック図である。図４に示すサーバ２００は、例えば、ＣＰＵ２０２と、メインメモリ２０４と、ＢＩＯＳ−ＲＯＭ２０６と、記憶部２０８と、通信インタフェース２１０と、これらを接続するシステムバス２１２とを有する。
【００５１】
ＣＰＵ２０２、メインメモリ２０４、ＢＩＯＳ−ＲＯＭ２０６、記憶部２０８、通信インタフェース２１０の機能は、それぞれ図３に示すＣＰＵ１０２、メインメモリ１０４、ＢＩＯＳ−ＲＯＭ１０６、記憶部１０８、通信インタフェース１１４の機能と同様である。
【００５２】
次に、採点者４０が用いる情報処理装置３００のハードウェア構成について説明する。図５は、情報処理装置３００のハードウェア構成の一例を示すブロック図である。図５に示す情報処理装置３００は、例えば、ＣＰＵ３０２と、メインメモリ３０４と、ＢＩＯＳ−ＲＯＭ３０６と、記憶部３０８と、オーディオ出力部３１０と、表示部３１２と、通信インタフェース３１４と、入力部３１６と、これらを接続するシステムバス３１８とを有する。図５に示す入力部３１６は、キーボードなどの入力装置である。入力部３１６以外の各部は、図３に示す、対応する各部と同じ機能を有する。
【００５３】
＜機能構成＞
次に、テスト支援システム１における各機能構成について説明する。まず、タブレット端末１００の機能構成について説明する。
【００５４】
図６は、タブレット端末１００の機能構成の一例を示すブロック図である。図６に示すタブレット端末１００は、例えば、テスト実行手段４０２と、表示手段４０４と、入力手段４０６と、記憶手段４０８と、送信手段４１０と、を有する。タブレット端末１００は、テストプログラムＴＰを実行することで、所定のテスト、例えば英語のスピーキングテストを行うための各機能を有する。
【００５５】
テスト実行手段４０２は、例えばＣＰＵ１０２やメインメモリ１０４、テストプログラムＴＰ等により実現されうる。テスト実行手段４０２は、テストプログラムＴＰが実行されることで、テストのアプリケーションを実行し、タブレット端末１００の表示手段４０４にテスト画面を表示する。
【００５６】
テスト実行手段４０２は、まず、表示手段４０４を用いて受検者に所定事項を入力させる。所定事項は、学校コード、日時、学年、クラス、出席番号、氏名、生年月日などである。次に、テスト実行手段４０２は、テストを実行し、問題を表示手段４０４に出力する。なお、テスト実行手段４０２は、ネットワークから切断されたオフライン状態でも、テストを実行することができる。これにより、場所を問わずにタブレット端末１００さえあれば、テストを実施することができる。
【００５７】
表示手段４０４は、例えば表示部１１２やＣＰＵ１０２、メインメモリ１０４、テストプログラムＴＰ等により実現されうる。表示手段４０４は、受検者の識別情報の入力画面を表示したり、テスト問題の画面を表示したりする。また、表示手段４０４は、音声の入力を行う画面において、受検者の音声の音量を示すインジケータを表示する。
【００５８】
入力手段４０４は、例えば入力部１１６やＣＰＵ１０２、メインメモリ１０４、テストプログラムＴＰ等により実現されうる。入力手段４０４は、受検者により入力された、受検者の識別情報及びテストの解答データを入力する。例えば、入力手段４０４は、タッチパネルなどを用いての受検者の操作を入力したり、マイクを用いての受検者の音声を入力したりする。
【００５９】
記憶手段４０８は、例えばＣＰＵ１０２やメインメモリ１０４、記憶部１０８、テストプログラムＴＰ等により実現されうる。記憶手段４０８は、入力手段４０４から取得した識別情報及び解答データを関連付けて記憶する。なお、記憶手段４０８は、複数の受検者の解答データを、各受検者の識別情報に関連付けて記憶することができる。
【００６０】
送信手段４１０は、例えば通信インタフェース１１４やＣＰＵ１０２、メインメモリ１０４、テストプログラムＴＰ等により実現されうる。タブレット端末１００が企業２０側に回収された後、送信手段４１０は、記憶手段４０４に記憶された識別情報及び解答データを、ネットワークを介してサーバ２００に送信する。このとき、送信手段４１０は、専用のデータ回線を用いてデータをサーバ２００に送信するようにしてもよい。これにより、解答データが改ざんされたり、盗聴されたりすることを防止することができる。
【００６１】
また、送信手段４１０は、記憶手段４０８に複数の受検者の解答データが記憶されている場合は、これら複数の識別情報及び解答データをまとめてサーバ２００に送信することもできる。
【００６２】
以上より、タブレット端末１００は、企業２０から学校１０に配布された後に、テストを実行して受検者の識別情報及び解答データを記憶し、企業２０に回収された後に、サーバ２００に識別情報及び解答データを送信する機能を有する。また、学校１０側としては、テストを実行するタブレット端末１００が企業２０から配布されるため、テストに応じた設備を準備する必要がない。
【００６３】
次に、テスト支援システム１におけるサーバ２００の機能構成について説明する。図７は、サーバ２００の機能構成の一例を示すブロック図である。図７に示すサーバ２００は、例えば、受信手段５０２と、第１記憶手段５０４と、送信手段５０６と、第２記憶手段５０８と、を有する。
【００６４】
受信手段５０２は、例えば通信インタフェース２１０やＣＰＵ２０２、メインメモリ２０４等により実現されうる。受信手段５０２は、回収されたタブレット端末１００から送信された受検者の識別情報及び解答データを受信する。なお、受信手段５０２は、複数の識別情報及び解答データを、タブレット端末１００からまとめて受信するようにしてもよい。また、受信手段５０２は、採点者４０が用いる情報処理装置３００から採点データを受信する。識別情報及び解答データは、第１記憶手段５０４に記憶され、採点データは第２記憶手段５０８に記憶される。
【００６５】
第１記憶手段５０４は、例えばＣＰＵ２０２やメインメモリ２０４、記憶部２０８等により実現されうる。第１記憶手段５０４は、受信された受検者の識別情報及び解答データを記憶する。第１記憶手段５０４は、識別情報を用いて階層的に解答データを記憶することで、解答データの管理を容易にすることができる。
【００６６】
送信手段５０６は、例えば通信インタフェース２１０やＣＰＵ２０２、メインメモリ２０４等により実現されうる。送信手段５０６は、採点者４０が使用する情報処理装置３００から解答データへのアクセスがあったときに、所定数の解答データを、受検者を識別するＩＤとともに情報処理装置３００に送信する。
【００６７】
第２記憶手段５０８は、例えばＣＰＵ２０２やメインメモリ２０４、記憶部２０８等により実現されうる。第２記憶手段５０８は、受信されたＩＤと採点データを記憶する。なお、第１記憶手段５０４及び第２記憶手段５０８は、必ずしも別の記憶部である必要はなく、同じ記憶部であってもよい。
【００６８】
以上より、サーバ２００は、回収されたタブレット端末１００から受検者の識別情報及び解答データを受信して記憶し、情報処理装置３００からアクセスされると解答データを送信し、情報処理装置３００から採点データを受信して記憶する機能を有する。
【００６９】
次に、テスト支援システム１における情報処理装置３００の機能構成について説明する。図８は、情報処理装置３００の機能構成の一例を示すブロック図である。図８に示す情報処理装置３００は、受信手段６０２と、表示手段６０４と、採点手段６０６と、送信手段６０８と、を有する。
【００７０】
情報処理装置３００は、採点プログラムＳＰを実行することで、解答データに対する採点を行うための各機能を有する。なお、採点者４０は、例えば企業２０側が作成した採点プログラムＳＰを情報処理装置３００にダウンロードし、インストールしておく。
【００７１】
受信手段６０２は、例えば通信インタフェース３１４やＣＰＵ３０２、メインメモリ３０４、採点プログラムＳＰ等により実現されうる。受信手段６０２は、例えばＩＤ付きの解答データをサーバ２００から受信する。
【００７２】
表示手段６０４は、例えばディスプレイであり、表示部３１２やＣＰＵ３０２、メインメモリ３０４、採点プログラムＳＰ等により実現されうる。表示手段６０４は、取得された解答データを採点する採点画面を、ウェブブラウザを用いて表示部３１２に表示する。
【００７３】
採点手段６０６は、例えば表示部３１２やＣＰＵ３０２、メインメモリ３０４、採点プログラムＳＰ等により実現されうる。採点手段６０６は、採点画面を用いて採点者４０から入力された採点データを取得する。採点手段６０６は、例えば、１つの解答データに対して１０点満点や１００点満点で採点された点数を取得する。
【００７４】
例えば、採点手段６０６は、採点画面内にある、スピーキングテストの解答を表す音声データの表示領域に対し、音声データの無音区間と有音区間とを識別可能にして採点処理を制御する。採点手段６０６の機能については、図９を用いて後述する。
【００７５】
送信手段６０８は、例えば通信インタフェース３１４やＣＰＵ３０２、メインメモリ３０４、採点プログラムＳＰ等により実現されうる。送信手段６０８は、採点された採点データをＩＤ付きでサーバ２００に送信する。
【００７６】
以上より、情報処理装置３００は、サーバ２００にアクセスして解答データを取得し、この解答データに対する採点データを取得し、この採点データをサーバ２００に送信する機能を有する。
【００７７】
図９は、採点手段６０６の機能構成の一例を示すブロック図である。図９に示す採点手段６０６は、無音検出手段６６２と、画面制御手段６６４と、採点制御手段６６６と、を有する。
【００７８】
無音検出手段６６２は、取得した音声データの無音区間を検出する。無音検出技術は、既知の技術を用いればよい。また、無音検出手段６６２は、例えば周囲の雑音を無音として判断するため、所定の音量以下の音を無音とみなしてもよい。無音検出手段６６２は、検出した無音区間を画面制御手段６６４に出力する。
【００７９】
画面制御手段６６４は、採点画面の構成などを制御し、表示手段６０４（例えばディスプレイ）に採点画面を表示するよう制御する。また、画面制御手段６６４は、音声データのうち、少なくとも無音区間を識別可能にして、この音声データを表示する表示領域を採点画面内に表示制御する。また、画面制御手段６６４は、採点画面内にある、音声データの表示領域に対し、音声データの無音区間と有音区間（発話区間）とを識別可能にしてもよい。例えば、画面制御手段６６４は、例えば、色を変えたり、形を変えたりして無音区間と有音区間とを識別可能なようにする。
【００８０】
また、画面制御手段６６４は、音声データを音声波形で採点画面に表示するよう制御する場合、無音区間の波形と有音区間の波形とを識別可能にする。これにより、音声波形で音声データを表すことで、採点者４０は一見して無音区間を識別することができる。また、無音区間の色が有音区間の色と異なっていれば、さらに効果的に無音区間と有音区間とを識別可能にすることができる。
【００８１】
また、画面制御手段６６４は、複数の音声データが採点画面の表示領域に表示される場合、音声データ毎に、少なくとも無音区間を識別可能にする。これにより、複数の音声データを表示する場合でも、採点者４０は、どの部分を採点すればよいかを理解することができる。
【００８２】
なお、画面制御手段６６４は、音声データを音声波形以外にも、棒状物のバーなどのインジケータで表すようにしてもよい。また、画面制御手段６６４は、再生スライダーを採点画面内に表示するように制御し、音声データのうち、どの部分を再生しているかを採点者４０に把握させてもよい。
【００８３】
採点制御手段６６６は、採点画面を用いて採点処理を制御する。例えば、採点制御手段６６６は、採点画面に表示されている音声データを再生し、再生された音声データを聞いた採点者４０からの入力に基づき採点処理を制御する。例えば、採点制御手段６６６は、採点者４０により入力された採点データを取得する。採点データは、例えば採点項目毎の点数やランクなどである。
【００８４】
また、採点制御手段６６６は、音声データの再生中に、無音区間をスキップしてもよい。このとき、採点画面に再生スライダーが表示される場合、画面制御手段６６４は、無音区間のスキップに従って、再生スライダーが無音区間をスキップするように制御する。これにより、採点に寄与しない無音区間をスキップすることができ、採点の時間を短縮することができる。
【００８５】
また、採点制御手段６６６は、１つの音声データが全て無音区間であれば、その音声データに対し、各採点項目で最低のスコアを付けるようにする。これにより、採点の必要がない場合には、採点者４０の処理を省くことができる。
【００８６】
また、採点制御手段６６６は、採点データとして、例えば音声データを識別する音声識別情報（例えば上述したＩＤ）と、各項目のスコアを含む採点データとを関連付ける。また、採点データは、採点者４０を識別する採点者識別情報などを含んでもよい。採点者識別情報は、採点者４０が情報処理装置３００にログインする際のログイン情報を用いればよい。
【００８７】
また、採点制御手段６６６は、サーバ２００から取得されたＩＤ付きの音声データを取得し、採点者４０からの指示により、この音声データを再生し、採点者４０からの入力に基づく採点結果とＩＤとを、サーバ２００に記憶するように制御する。これにより、最低限のデータを用いて採点処理を行うことができる。
【００８８】
以上より、採点手段６０６は、音声データのうち、少なくとも無音区間を識別することができ、採点者４０が採点を効率的に行うことができるユーザインタフェースを提供することができる。
【００８９】
ここで、サーバ２００に記憶された採点データは、例えば企業２０の情報処理装置（不図示）などを用いて成績処理が行われる。例えば、全国で共通して実施されるテストであった場合、企業２０側は、個人集計の他にも、校内集計、全国集計を行い、成績集計結果データのスコアレポートを作成する。企業２０側は、作成したスコアレポートを、テストを実施した各学校１０に配送する。また、個人集計には、過去のテスト結果や過去のテスト結果と今回のテスト結果との比較なども含まれる。企業２０は、成績処理を外部業者に委託してもよい。企業２０は、スコアレポートを印刷業者に印刷させて、印刷業者から各学校１０にスコアレポートを配送させてもよい。
【００９０】
これにより、スコアレポートを受け取った受検者は、自分の弱点を知ることができ、次回のテストで良い結果を得られるように努力することが考えられる。よって、スコアレポートの配布が、受検者のモチベーションを向上させることができる。
【００９１】
また、企業２０は、先生用に成績を分析処理し、先生用のレポートを各学校１０に配送又は送信してもよい。例えば、クラス全体の弱点などを先生が把握することができ、先生用のレポートの配布を今後の指導に活かすことができる。
【００９２】
＜データ例＞
次に、テスト支援システム１で用いるデータ例について説明する。図１０は、タブレット端末１００で記憶される識別情報及び解答データの一例を示す図である。図１０に示すように、タブレット端末１００は、テストが終わると、学校コード、日時、学年、クラス、出席番号、氏名、生年月日、解答データを関連付けて記憶する。
【００９３】
ここで、学校コード、日時、学年、クラス、出席番号、氏名、生年月日は、受検者を識別するための識別情報であり、解答データに関連付けて記憶される。なお、受検者の識別情報は、例えばテキストデータであり、解答データは、例えば４４１００Ｈｚ、１６ｂｉｔ、ＷＡＶ形式の音声データである。なお、テスト問題が複数の問題毎に分かれている場合は、各Ｐａｒｔで独立して解答データが記憶される。
【００９４】
タブレット端末１００は、例えば、上記の各データをＡＥＳ（Advanced Encryption Standard）形式で暗号化したＺｉｐファイルなどにより記憶する。
【００９５】
図１１、サーバ２００で記憶される識別情報及び解答データの一例を示す図である。サーバ２００は、階層構造を用いて解答データの管理を容易にする。図１１に示す例では、サーバ２００は、学校、日時、学年、クラス、生徒の順に下位になるようにフォルダを生成し、生徒フォルダに、その生徒の解答データを記憶するようにする。これにより、学校毎の集計や、クラス毎の集計などを容易に行うことできるようになる。
【００９６】
＜画面例＞
次に、テスト支援システム１の画面例について説明する。図１２は、タブレット端末１００の電源起動時の画面の一例を示す図である。図１２に示すように画面７０２には２つのテストアイコン７０４Ａ、７０４Ｂがインストールされている例である。なお、インストールされているテストのアプリケーションは１つでもよいし、３つ以上の複数でもよい。受検者は、図１２に示すようなテストアイコン７０４Ａ、７０４Ｂのいずれかをクリック又はダブルクリックすることで、テストを受けることができる。
【００９７】
図１３は、学校コードの選択画面の一例を示す図である。図１３に示す画面８０２は、学校コードを、５桁の数字を受検者に選択させる画面である。タブレット端末１００は、図１３に示すような画面を用いて、受検者の他の識別情報を選択又は入力させる。
【００９８】
図１４は、スピーキングテストの開始画面の一例を示す図である。図１４に示す画面９０２は、スピーキングテストの概要が表示され、この例では、４つのＰａｒｔから問題が構成される。例えば、受検者は、受検者の識別情報の入力が全て終わると、図１４に示すスピーキングテストの開始画面が表示される。このとき、受検者は、図１４に示す画面を表示したまま待ち、試験官又は先生の合図によりスタートボタン９０４をタッチ（クリック）することで、テストを受けることができるようになる。
【００９９】
図１５は、テストにおけるＰａｒｔＡの画面の一例を示す図である。図１５に示す画面１００２は、ＰａｒｔＡの第１問（Ｑ１）のＢのセンテンスを受検者が読み上げる問題を表示する画面である。タブレット端末１００は、受検者が読み上げた音声をマイクから入力し、自端末の記憶部に音声データを記憶する。タブレット端末１００は、各ＰａｒｔＡ〜Ｄで入力した音声データをそれぞれ独立して記憶する。このとき、各Ｐａｒｔの音声データは、受検者の識別情報と関連付けて記憶される。
【０１００】
次に、採点画面の画面例について説明する。図１６は、採点画面（その１）の一例を示す図である。図１６に示す採点画面１３００Ａには、問題情報の第１表示領域１３０２と、バックボタン１３０４と、再生ボタン１３０６と、再生スライダー１３０８と、音声データの第２表示領域１３１０Ａと、採点項目の第３表示領域１３１２と、保存ボタン１３１４と、キャンセルボタン１３１６と、全０ボタン１３１８と、サンプルスコアボタン１３２０とが表示される。
【０１０１】
第１表示領域１３０２は、第２表示領域１３１０Ａに表示される音声データの問題情報を表示する領域である。問題情報は、例えばＸＭＬファイルに基づいて動的に表示される。情報処理装置３００は、問題情報を、サーバ２００から取得しておけばよい。
【０１０２】
バックボタン１３０４は、再生された過去の音声に戻るためのボタンであ。バックボタン１３０４が採点者４０によりクリックされると、例えば２秒前の音声に戻る。再生ボタン１３０６は、音声を再生するためのボタンである。
【０１０３】
再生スライダー１３０８は、再生される音声の位置を表示するものである。また、再生スライダー１３０８は、ドラッグにより音声の再生位置を決めたりすることもできる。
【０１０４】
第２表示領域１３１０Ａは、音声データの表示領域である。例えば、第２表示領域１３０１Ａは、音声データを音声波形で表す。また、第２表示領域１３１０Ａは、上述したように、無音区間と有音区間とが識別できるように表示される。音声データの無音区間は、波形が上下に振れていない区間である。無音区間の色は、有音区間の色と異なってもよい。
【０１０５】
第３表示領域１３１２は、各採点項目のチェックボックスが表示される領域である。採点者４０がこのチェックボックスにチェックをすると、採点手段６０６は、チェックされたチェックボックスに対応する採点データを取得する。
【０１０６】
保存ボタン１３１４は、採点データを保存するためのボタンである。保存ボタン１３１４は、初期値はＤｉｓａｂｌｅであり、全ての採点項目がチェックされないと、Ｅｎａｂｌｅにならない。保存ボタン１３１４がクリックされると、情報処理装置３００は、全採点項目がチェックされているか、採点条件が満たされているかなどを確認し、採点データをサーバ２００に送信する。
【０１０７】
キャンセルボタン１３１６は、採点リスト画面に戻るためのボタンである。採点リスト画面とは、その採点者４０が採点を行う音声データの一覧が表示される画面である。
【０１０８】
全０ボタン１３１８は、全ての採点項目を０に設定するためのボタンである。音声データが無音であったり、音声が何を話しているのか意味不明であったりする場合などに用いられるボタンである。
【０１０９】
サンプルスコアボタン１３２０は、サンプルスコアを表示するためのボタンである。以下に示す採点画面では、図１６に示す採点画面と異なるところについて主に説明する。
【０１１０】
図１７は、採点画面（その２）の一例を示す図である。図１７に示す採点画面１３００Ｂには、図１６に示す第２表示領域１３１０Ａとは異なる表示形態の第２表示領域１３１０Ｂが表示される。
【０１１１】
第２表示領域１３１０Ｂは、音声データを棒状物のバーで表す。第２表示領域１３１０Ｂのうち、第１区間１３２２は有音区間を表し、第２区間１３２４は無音区間を表す。第２表示領域１３１０Ｂは、図１７に示すような表示形態においても、無音区間と有音区間とを識別可能にして表示される。
【０１１２】
図１８は、採点画面（その３）の一例を示す図である。図１８に示す採点画面１３００Ｃには、複数の音声データを表示する第２表示領域１３１０Ｃと、採点する音声データをチェックするためのチェックボックス１３２６とが表示される。
【０１１３】
採点者４０が、チェックボックス１３２６のいずれかにチェックを付けると、採点手段６０６は、チェックされたチェックボックスに対応する音声データを認識し、認識した音声データの採点処理を制御する。
【０１１４】
図１９は、採点画面（その４）の一例を示す図である。図１９に示す採点画面１３００Ｄは、図１６に示す画面と同様であるが、音声の再生中であることを示す採点画面である。採点画面１３００Ｄでは、再生スライダー１３０８の再生位置が、現在再生している音声の位置を示す。なお、図１９に示す再生スライダー１３０８の再生位置以降の音声データは、無音区間とする。
【０１１５】
図２０は、採点画面（その５）の一例を示す図である。図２０に示す採点画面１３００Ｅは、図１９に示す採点画面１３００Ｄの次の瞬間を示す採点画面ある。図２０に示す採点画面１３００Ｅに示すように、再生スライダー１３０８の再生位置は、無音区間をスキップする。つまり、採点制御手段６６６は、音声データの再生中に無音区間を検出すると、無音区間分の時間をスキップし、次の有音区間から音声を再生するように制御する。
【０１１６】
また、採点制御手段６６６は、無音区間をスキップする際に、無音区間が所定時間以上続く場合にスキップし、無音区間が所定時間（例えば１秒）未満であればそのまま再生するよう制御してもよい。これにより、文と文との間にある短い無音区間をスキップしないように制御することができる。
【０１１７】
図２１は、採点画面（その６）の一例を示す図である。図２１に示す採点画面１３００Ｆでは、第２表示領域１３１０Ａに表示される音声データは、全て無音区間であることを示している。
【０１１８】
採点制御手段６６６は、音声データが全て無音区間であることを検出すると、第３表示領域１３１２にある各採点項目に対し、最低スコア（例えば０点）となるチェックボックスにチェックを入れるよう制御する。これにより、採点者４０の負担を軽減させることができる。
【０１１９】
＜動作＞
次に、第１実施形態におけるテスト支援システム１の動作について説明する。図２２は、第１実施形態におけるテスト支援システム１の処理の一例を示すフローチャートである。図２２に示すステップＳ１０２で、企業２０は、テストを申し込んだ各学校に、必要な数の携帯型情報処理端末（例えばタブレット端末）１００を、テスト実施日までに配送する。
【０１２０】
ステップＳ１０４で、テスト当日に、受検者は、携帯型情報処理端末１００を操作して、受検者の識別情報を入力する。
【０１２１】
ステップＳ１０６で、受検者は、携帯型情報処理端末１００を用いてテストを受検し、解答データを携帯型情報処理端末１００に入力する。入力された解答データは、受検者の識別情報に関連付けて携帯型情報処理端末１００に記憶される。
【０１２２】
ステップＳ１０８で、学校１０側は、全受検者に対するテストの実施が終了すると、配布された全ての携帯型情報処理端末１００を企業２０に返却する。つまり、企業２０は、各学校に配布した携帯型情報処理端末１００を回収する。
【０１２３】
ステップＳ１１０で、回収された携帯型情報処理端末１００は、受検者の識別情報及び解答データを、サーバ２００に送信する。例えば、データ回線としては、専用の無線回線を用いてもよい。
【０１２４】
ステップＳ１１２で、サーバ２００は、回収された携帯型情報処理端末１００から受信した受検者の識別情報及び解答データを記憶する。このとき、サーバ２００は、フォルダの階層構造を用いて解答データを管理しやすくしてもよい。
【０１２５】
ステップＳ１１４で、情報処理装置３００は、サーバ２００に記憶されている解答データにアクセスし、ウェブブラウザを用いてこの解答データを取得し、採点画面を表示する。採点者４０の情報処理装置３００は、採点画面を表示し、採点者４０の入力に基づき解答データの採点が行われる。情報処理装置３００は、採点者４０による採点結果の採点データを取得する。採点処理の詳細は、図２３を用いて後述する。
【０１２６】
ステップＳ１１６で、企業２０の情報処理装置は、採点データに基づいて成績処理を行い、成績処理の結果を含むスコアレポートを、テストを実施した各学校１０に送付するよう指示したり又は送信したりする。
【０１２７】
次に、スピーキングテストの解答データである音声データの採点処理について説明する。図２２は、音声データの採点処理の一例を示すフローチャートである。
【０１２８】
図２２に示すステップＳ３０２で、採点手段６０６は、サーバ２００から受信した音声データを取得する。採点手段６６０は、ＩＤ付きの音声データをまとめて取得してもよい。
【０１２９】
ステップＳ３０４で、無音検出手段６６２は、取得された音声データを解析し、音声データの無音区間を検出する。無音区間の検出技術は、既知の技術を用いればよい。
【０１３０】
ステップＳ３０６で、画面制御手段６６４は、音声データに無音区間があるか否かを判定する。音声データに無音区間があれば（ステップＳ３０６−ＹＥＳ）、次にステップＳ３０８が処理され、音声データに無音区間がなければ（ステップＳ３０６−ＮＯ）ステップＳ３１０が処理される。
【０１３１】
ステップＳ３０８で、画面制御手段６６４は、表示される音声データのうち、少なくとも無音区間を識別可能にするように制御する。例えば、画面制御手段６６４は、無音区間と有音区間とを色を変えたり、形を変えたりして両区間を識別可能にしてもよい。
【０１３２】
ステップＳ３１０で、採点手段６０６は、採点画面に複数の音声データを表示する場合に、他の音声データがあるか否かを判定する。他の音声データがあれば（ステップＳ３１０−ＹＥＳ）、ステップＳ３０２が処理されて他の音声データが取得され、他の音声データがなければ（ステップＳ３０２−ＮＯ）、ステップＳ３１２が処理される。なお、採点画面に１つの音声データしか表示されない場合は、ステップＳ３１０の処理は不要である。
【０１３３】
ステップＳ３１２で、画面制御手段６６４は、音声データのうち、少なくとも無音区間を識別可能にして、この音声データを表示する表示領域を含む採点画面を表示する（例えば図１６及び図１７など）。
【０１３４】
ステップＳ３１４で、採点制御手段６６６は、採点画面に表示された音声データを再生し、再生された音声データを聞いた採点者４０から入力されるデータに基づき、採点処理を制御する。例えば、採点制御手段６６６は、採点者４０によりチェックされたチェックボックスに対応する採点データを取得する。採点処理が終わると、ＩＤ付きの採点データは、サーバ２００に送信され、保存される。
【０１３５】
また、採点制御手段６６６は、音声データを再生する際に、無音区間を自動でスキップすることで、採点処理をさらに効率化させてもよい。また、採点制御手段６６６は、音声データの再生と、全ての採点項目の採点が終了したことを検知すると、次の問題の採点処理を制御する。
【０１３６】
以上の処理により、情報処理装置３００は、スピーキングテストの採点画面において、無音区間と有音区間とを識別可能にするので、採点者４０に対し、採点の効率を向上させるユーザインタフェースを提供することができる。
【０１３７】
以上、第１実施形態によれば、スピーキングテストの採点画面において、少なくとも無音区間を識別可能にするので、採点を効率的にするユーザインタフェースを提供することができる。また、第１実施形態によれば、採点画面において無音区間をスキップすることができる。また、第１実施形態によれば、音声データが全て無音区間の場合、各採点項目において最低スコアを自動で付けることができる。
【０１３８】
ここで、第１実施形態における採点処理と、従来の採点処理とを比較する。従来の採点処理では、例えば３０秒のスピーキングが行われる場合、３０秒間録音された音声データを始めから終わりまで採点者が全て聞いて、採点処理が行われていた。しかし、３０秒間のうち、例えば１５秒しか音声データが録音されていない場合でも、採点者は音声データの全てを聞いた上で採点しなければならず、効率的ではなかった。
【０１３９】
一方、第１実施形態における採点処理では、録音された音声データのうち、無音区間が識別可能に表示されるので、採点者が無音区間を手動でスキップさせたり、装置が無音区間を自動でスキップしたりすることで、効率的な採点処理を行うことが可能となる。
【０１４０】
ここで、音声データの再生終了と、全採点項目のチェック完了とが、次の問題に移る条件であるとする。このとき、始めの数秒だけ音声データが録音されて、残りが無音である音声データを採点者が採点する場合、採点者は、最初の数秒だけを再生し、残りをスキップすれば、従来の採点処理より早く再生を終了することができる。
【０１４１】
また、第１実施形態によれば、任意の受検会場において、受検設備を受検会場側で準備しなくても、受検者にテストを受けてもらうことができるテスト支援方法及びテスト支援システムを提供することができる。すなわち、テストのアプリケーションがインストールされた携帯型情報処理端末１００さえあればテストを実行することができ、テストの解答データは携帯型情報処理端末１００自体に記憶されるため、テストの実行中にネットワークに接続する必要がない。
【０１４２】
また、携帯型情報処理端末１００は、使い回すことができるため、１台の携帯型情報処理端末１００に複数の受検者の解答データを記憶することができる。この場合、回収された携帯型情報処理端末１００から、複数の解答データをまとめてサーバ２００に送信することができる。
【０１４３】
また、第１実施形態におけるテストは、認定された場所でしか受検することができなかった外部検定試験のテストにも適用することができる。
【０１４４】
［変形例］
以上、本願の開示する技術の第１実施形態について説明したが、本願の開示する技術は、上記に限定されるものではない。
【０１４５】
例えば、複数の受験者が同じ拠点で異なる時刻に受験するテストや、複数の受験者が異なる拠点で受験するテストにも適用することができる。
【符号の説明】
【０１４６】
１  テスト支援システム
１００  携帯型情報処理端末
２００  サーバ
３００  情報処理装置
４０２  テスト実行手段
４０４  表示手段
４０６  入力手段
４０８  記憶手段
４１０  送信手段
５０２  受信手段
５０４  第１記憶手段
５０６  送信手段
５０８  第２記憶手段
６０２  受信手段
６０４  表示手段
６０６  採点手段
６０８  送信手段
６６２  無音検出手段
６６４  画面制御手段
６６６  採点制御手段
【図２】
2015025873.tif 000003
【図３】
2015025873.tif 000004
【図４】
2015025873.tif 000005
【図５】
2015025873.tif 000006
【図６】
2015025873.tif 000007
【図７】
2015025873.tif 000008
【図８】
2015025873.tif 000009
【図９】
2015025873.tif 000010
【図１０】
2015025873.tif 000011
【図１１】
2015025873.tif 000012
【図２２】
2015025873.tif 000013
【図２３】
2015025873.tif 000014
【図１】
2015025873.tif 000015
【図１２】
2015025873.tif 000016
【図１３】
2015025873.tif 000017
【図１４】
2015025873.tif 000018
【図１５】
2015025873.tif 000019
【図１６】
2015025873.tif 000020
【図１７】
2015025873.tif 000021
【図１８】
2015025873.tif 000022
【図１９】
2015025873.tif 000023
【図２０】
2015025873.tif 000024
【図２１】
2015025873.tif 000025